(57)【要約】【課題】空調機を取付けた壁パネルをユニット化し、空調機の取り付け作業を簡略化すると共に、壁パネルの再利用を可能にするユニットハウス用空調機一体型パネルを提供する。【解決手段】壁パネル７の内外面に空調機の室外機８と室内機１０とを予め組み込む。これら室外機８と室内機１０とを冷媒配管及び電線コード１１にて予め接続して空調機用パネルユニット１００を構成する。ユニットハウスの壁枠パネル７と該壁枠パネル７の開口部６に着脱自在に装着する小型空調機用パネルＡとで空調機用パネルユニット１００を構成する。該小型空調機用パネルＡの内外面に、予め小型空調機の室外機８と室内機１０とを装着する。【選択図】図２
0003164750.tif 000002
【実用新案登録請求の範囲】
【請求項１】
柱及び梁からなる軸組材を組み立ててフレームとし、該フレームにユニット化された壁パネル、床パネル、屋根パネルを組み立てて構成されるユニットハウスにおいて、壁パネルの内外面に空調機の室外機と室内機とを予め組み込むと共に、これら室外機と室内機とを冷媒配管及び電線にて予め接続して空調機用パネルユニットを構成したことを特徴とするユニットハウス用空調機一体型パネル。
【請求項２】
前記空調機用パネルユニットは、ユニットハウスの壁枠パネルと該壁枠パネルの開口部に着脱自在に装着する小型空調機用パネル又は大型空調機用パネルとで構成され、該小型空調機用パネル又は大型空調機用パネルの内外面に、小型空調機又は大型空調機の室外機と室内機とを装着した請求項１記載のユニットハウス用空調機一体型パネル。
【請求項３】
前記小型空調機用パネルは、周囲に補強フレームが設けられ、該補強フレームの内側に前記室内機を連結し、該補強フレームの外側下部に架台が固定され、該架台に前記室外機を載置し、該架台と補強フレームとを補強パイプで連結すると共に、補強フレームの下部内側にキャスターを装着した請求項２記載のユニットハウス用空調機一体型パネル。
【請求項４】
前記大型空調機用パネルは、周囲に補強フレームが設けられ、該補強フレームの内側に前記室内機を連結し、該補強フレームの外側下部に架台が固定され、該架台に前記室外機を載置し、該架台と補強フレームとを補強パイプで連結すると共に、前記架台の下面にキャスターを装着し、前記壁枠パネルに縦アングル材を介して固定され、該壁枠パネルに、開口部に隣接する点検口を形成すると共に、該点検口を着脱自在に閉塞せしめる点検口パネルを設け、該壁枠パネルの下端から外側に張り出すように張出し足場を形成し、該張出し足場に大型空調機用パネルのキャスターを誘導せしめるガイドレールを設けた請求項２記載のユニットハウス用空調機一体型パネル。
【考案の詳細な説明】
【技術分野】
【０００１】
本考案は、現場事務所等として使用されるユニットハウスに、エアコン等の空調機を容易に着脱することができるユニットハウス用空調機一体型パネルに関するものである。
【背景技術】
【０００２】
ユニットハウスは、フレームシステムやパネルシステムの手法でユニット化された構造体を組み立てて使用する建物である。柱、梁等の軸組材を組み立ててフレームとし、これにユニット化された壁パネル等を組み立てて建物を構成する。このような構成により、ユニットハウスは組み立てや解体、搬送の容易性は勿論、パネルシステムの組合せにより間取り変更も自由な建物になっている。
【０００３】
このユニットハウスにエアコン等の空調機を取付ける場合は、ボルトやナット等によって壁パネルに空調機を固定する方法が一般的である。ところが、この方法では空調機の取付け、取外しに極めて多くの手間を要するものであった。そこで当出願人は、先に、ユニットハウスの壁パネルにクーラーを簡便に取付けることができるクーラーの取付装置を提案している（特許文献１）。
【０００４】
この取付装置によると、鋼製フレームを備えた壁パネルに、クーラーの装着用開口部を開設し、該開口部の下部両隅に任意の長さを持つガイドレールを取付けると共に、クーラーを載置するためのスライドベッドを設けたものである。そして、クーラーを載置したスライドベッドをガイドレールに摺動可能に係合し、所定の位置で固定する構造を成している。このような構造によって、クーラーの取付け作業を容易にし、所定の位置に簡単に設置できるようになった。
【先行技術文献】
【特許文献】
【０００５】
【特許文献１】実公平７−４４３０号公報
【考案の概要】
【考案が解決しようとする課題】
【０００６】
ところが、特許文献１のクーラーの取付装置では、室外機と室内機とが一体になった旧型のクーラーを取付ける作業が容易になるとしても、現在分離して使用されている室外機の据付や、室外機と室内機との接続作業などは、これまでと同様に現場での据え付け作業や接続作業になっており、多くの手間を要するものであった。
【０００７】
すなわち、事務所等として使用されるユニットハウスには、使用者が選択したエアコン等が装着される。このような空調機は、一般に室外機と室内機とで構成され、ユニットハウスの内外にそれぞれ据え付ける作業が必要になる。また、据付作業が終了した後は、更に、室外機と室内機とを配管や電線コードにて連結する作業も必要である。しかも、これら据付作業や連結作業は、ユニットハウスの規模や間取り、機器のサイズや能力、形状等に応じて個々に調整する必要があるため、現場にて行われるこれらの据付作業や連結作業は極めて手間のかかる作業になっていた。
【０００８】
ユニットハウスは、本来、壁の間取りや天井の高さなどが規格化されているものである。このようにユニット化されたパネルシステムにより、工場での装着作業、現場への運搬作業、施工・解体作業等の効率性が維持されてきた。そして、規格化されているがゆえに、ハウスフレーム及びパネルシステム等の各部品の再利用が可能になるものである。
【０００９】
ところが、従来のボルトやナット等の止着具によって壁パネルにエアコンを取付けると現場での据付作業によって壁パネルが損傷して再利用できなくなる不都合が生じる。
【００１０】
しかも、特許文献１の取付装置を使用して室内機の取付け作業が簡単になっていても室外機の据え付け作業や、室外機と室内機との接続作業を簡略化することはできなかった。
【００１１】
そこで本考案は、上述の課題を解消すべく案出されたもので、ユニットハウスに空調機を取付ける際に、空調機を取付けた壁パネルをユニット化することにより、空調機の取り付け作業を簡略化すると共に、壁パネルの再利用を可能にするユニットハウス用空調機一体型パネルの提供を目的とするものである。
【課題を解決するための手段】
【００１２】
本考案の第１の手段は、柱及び梁からなる軸組材を組み立ててフレームとし、該フレームにユニット化された壁パネル、床パネル、屋根パネルを組み立てて構成されるユニットハウスにおいて、壁パネル７、１５の内外面に空調機の室外機８、１９と室内機１０、１８とを予め組み込むと共に、これら室外機８、１９と室内機１０、１８とを冷媒配管及び電線コード１１にて予め接続して空調機用パネルユニット１００を構成したことにある。
【００１３】
第２の手段において、前記空調機用パネルユニット１００は、ユニットハウスの壁枠パネル７、１５と該壁枠パネル７、１５の開口部６、１４に着脱自在に装着する小型空調機用パネルＡ又は大型空調機用パネルＢとで構成され、該小型空調機用パネルＡ又は大型空調機用パネルＢの内外面に、小型空調機又は大型空調機の室外機８、１９と室内機１０、１８とを装着している。
【００１４】
第３の手段において、前記小型空調機用パネルＡは、周囲に補強フレーム９ａが設けられ、該補強フレーム９ａの内側に前記室内機１０を連結し、該補強フレーム９ａの外側下部に架台９が固定され、該架台９に前記室外機８を載置し、該架台９と補強フレーム９ａとを補強パイプ９ｂで連結すると共に、補強フレーム９ａの下部内側にキャスター１２を装着したものである。
【００１５】
第４の手段において、前記大型空調機用パネルＢは、周囲に補強フレーム１７ａが設けられ、該補強フレーム１７ａの内側に前記室内機１８を連結し、該補強フレーム１７ａの外側下部に架台１７が固定され、該架台１７に前記室外機１９を載置し、該架台１７と補強フレーム１７ａとを補強パイプ１７ｂで連結すると共に、前記架台１７の下面にキャスター２１を装着し、前記壁枠パネル１５に縦アングル材２２を介して固定され、該壁枠パネル１５に、開口部１４に隣接する点検口１４Ａを形成すると共に、該点検口１４Ａを着脱自在に閉塞せしめる点検口パネルＤを設け、該壁枠パネル１５の下端から外側に張り出すように張出し足場１６を形成し、該張出し足場１６に大型空調機用パネルＢのキャスター２１を誘導せしめるガイドレール１６ａを設けたことにある。
【考案の効果】
【００１６】
本考案の請求項１によると、壁パネルの内外面に空調機の室外機と室内機とを予め組み込むと共に、これら室外機と室内機とを冷媒配管及び電線コードにて予め接続して空調機用パネルユニット１００を構成したことにより、現地での配管取出口の加工作業や配管作業が一切不要になり、空調機の取り付け作業を簡略化することができる。しかも、壁パネルの再利用が可能になるものである。
【００１７】
請求項２により、空調機用パネルユニット１００は、ユニットハウスの壁枠パネルと該壁枠パネルの開口部に着脱自在に装着する小型空調機用パネル又は大型空調機用パネルとで構成され、該小型空調機用パネル又は大型空調機用パネルの内外面に、室外機と室内機とを装着した構造を成しているので、ユニットハウスで使用されている壁枠パネルを組み立てる位置を利用して、空調機が装着された空調機用パネルユニット１００を設置することができる。この結果、従来の規格化されたパネル寸法により、任意の壁面に設置可能であり、小型から大型の空調機容量に対応することで、任意の間取りに合わせた一体型パネルを提供することができる。
【００１８】
請求項３によると、小型空調機用パネルは、周囲に補強フレームが設けられ、該補強フレームの内側に前記室内機が連結され、該補強フレームの外側下部に架台が固定され、該架台に前記室外機が載置され、該架台と補強フレームとを補強パイプで連結する構成を成しているので、空調機の室外機や室内機を安全且つ確実に装着することができる。しかも補強フレームの下部内側にキャスターを装着しているから、運搬や移動、あるいは据付作業時の位置調整を容易に行うことができる。
【００１９】
請求項４によると、大型空調機用パネルは前記壁枠パネルに縦アングル材を介して固定されているから、大型の空調機を装着しても大型空調機用パネルＢを確実に取付けることができる。しかも、壁枠パネルに、開口部に隣接する点検口を形成し、該点検口を着脱自在に閉塞せしめる点検口パネルを設けたことにより、大型の空調機のメンテナンスも容易に行える。更に、壁枠パネルの下端から外側に張り出すように張出し足場を形成し、該張出し足場に大型空調機用パネルのキャスターを誘導せしめるガイドレールを設けたことで大型空調機を備えた大型空調機用パネルでも、所定の位置への設置作業が容易になるものである。
【００２０】
このように本考案によると、現地での配管取出口の加工作業や配管作業が一切不要になる。また、従来の規格化されたパネル寸法により、任意の壁面に設置可能であり、小型から大型の空調機容量に対応することで、任意の間取りに合わせた一体型パネルを提供することができる。
【図面の簡単な説明】
【００２１】
【図１】本考案のユニットハウスの一実施例を示し、（ａ）は正面図、（ｂ）は側面図である。
【図２】本考案の第１実施例を示す分解斜視図である。
【図３】本考案の第１実施例を使用した状態を示し、（ａ）は正面図、（ｂ）は側断面図である。
【図４】本考案の第１実施例を装着する状態を示す側断面図である。
【図５】本考案の第１実施例を使用した状態を示す平断面図である。
【図６】本考案の第２実施例を示す分解斜視図である。
【図７】本考案の第２実施例を使用した状態を示し、（ａ）は正面図、（ｂ）は側断面図である。
【図８】本考案の第２実施例を装着する状態を示す側断面図である。
【図９】本考案の第２実施例を使用した状態を示す平断面図である。
【考案を実施するための形態】
【００２２】
本考案によると、ユニットハウスに空調機を取付ける際に、空調機を取付けた壁パネルをユニット化することにより、空調機の取り付け作業を簡略化すると共に、壁パネルの再利用を可能にするなどといった目的を実現した。
【００２３】
すなわち、本考案は、ユニットハウスの壁枠パネルとして使用されるものである。このユニットハウスとは、柱及び梁からなる軸組材を組み立ててフレームとし、該フレームにユニット化された壁パネル、床パネル、屋根パネルを組み立てて構成される家屋類を総称する（図１参照）。
【００２４】
図１（ａ）に示すユニットハウスは、屋根フレーム１と床フレーム２とを連結する間柱３が規格寸法に配置されており、正面に間柱３間に規格化された壁パネル４と窓パネル５とを取付けている。また、側面には間柱３を介して左右一対の壁パネル４を配設している（同図（ｂ）参照）。
【００２５】
このようなユニットハウスにおいて、予めエアコン等の空調機を装着した空調機用パネルユニット１００を構成する。この空調機用パネルユニット１００は、壁枠パネル７と、小型空調機用パネルＡ（図２参照）、又は壁枠パネル１５と、大型空調機用パネルＢとで構成されている（図６参照）。
【００２６】
そして、壁パネル７、１５の内外面に空調機の室外機８、１９と室内機１０、１８とを予め組み込むと共に、これら室外機８、１９と室内機１０、１８とを冷媒配管及び電線コード１１、２０にて予め接続したものである。
【００２７】
壁枠パネル７、１５には開口部６、１４が形成されており、この開口部６、１４に小型空調機用パネルＡ又は大型空調機用パネルＢを着脱自在に装着する（図２、図６参照）。
【実施例１】
【００２８】
図２乃至図５は小型空調機用パネルＡを使用した実施例を示している。この小型空調機用パネルＡには、室外機８と室内機１０とを装着し、冷媒配管及び電線コード１１で連結している（図２参照）。これら室外機８と室内機１０は、それぞれ小型空調機に対応するものが装着されている。
【００２９】
小型空調機用パネルＡは、周囲に鉄製の補強フレーム９ａが設けられており、室外機８や室内機１０の荷重耐え得る強度を有している。そして、補強フレーム９ａの内側に室内機１０を連結している（図２参照）。
【００３０】
更に、補強フレーム９ａの外側下部に架台９が固定されており、この架台９に室外機８を載置している。また、この架台９と補強フレーム９ａとを補強パイプ９ｂで連結することで、架台９の支持強度を高めている。更に、補強フレーム９ａの下部内側にキャスター１２を装着することで、小型空調機用パネルＡを移動する際の利便性を高めている（図２参照）。
【００３１】
この小型空調機用パネルＡは、壁枠パネル７の開口部６に装着されるものである（図２参照）。このとき、小型空調機用パネルＡに装着してあるパッキン材Ｃを開口部６に固定し、止水性を高めている。また、壁枠パネル７は、図１（ｂ）に示す壁パネル４と同じ寸法に形成されている。
【００３２】
この壁枠パネル７に小型空調機用パネルＡを取付ける際は、キャスター１２を利用し、小型空調機用パネルＡを傾斜させて室内側より移動する。このとき、小型空調機用パネルＡの操作を容易にするためにハンドル１３を設けている（図４参照）。次に、既に装着済みの壁パネル４の開口部６で傾斜させた小型空調機用パネルＡを起こし、壁枠パネル７内の溶接ナットＮ１と小型空調機用パネルＡの取付孔Ｐ１を介してボルト２３により固定する（図５参照）。
【実施例２】
【００３３】
図６乃至図９は、大型空調機用パネルＢを使用した実施例を示している。大型空調機用パネルＢは、周囲が鉄材の補強フレーム１７ａで構成されており、この補強フレーム１７ａに、架台１７と補強パイプ１７ｂを連結して大型空調機用パネルＢを強化している。そして、補強フレーム１７ａの内側に室内機１８を連結し、架台１７に室外機１９を載置している（図６参照）。
【００３４】
小型空調機用パネルＡとの相違点は、大型空調機用パネルＢの内外面に装着している室外機１９や室内機１８が、それぞれ大型空調機に対応するものが装着されていることにある（図６参照）。そして、この大型の空調機の室内機１８と室外機１９とを冷媒配管及び電線コード２０で連結している（図７（ｂ）参照）。
【００３５】
大型空調機用パネルＢを壁枠パネル１５の開口部１４に固定する場合、開口部１４の左右側縁に沿って後付けする縦アングル材２２にて、大型空調機用パネルＢと壁枠パネル１５とを強固に固定する（図６参照）。また、架台１７の下面にキャスター２１を装着している。この架台１７は、室外機１９を載置する他に、室内機１８も載置できるように、室内側にも延長してキャスター２１を設けている（図７（ｂ）参照）。
【００３６】
図７（ａ）は、幅広の壁枠パネル１５に大型空調機用パネルＢが装着された大型空調機用パネルＢを示している。この壁枠パネル１５は、図１（ｂ）に示す左右一対の壁パネル４全体の寸法と同じ寸法に形成されている。この壁枠パネル１５には、開口部１４に隣接して点検口１４Ａを形成してあり、この点検口１４Ａから室外機１９等の点検を可能にしている（図６参照）。また、不使用時の点検口１４Ａを閉塞せしめる点検口パネルＤを着脱自在に設けている（図７（ａ）参照）。この点検口パネルＤは、壁枠パネル１５と間柱３の溶接ナットＮ２と点検口パネルＤの取付け孔を介してボルトにより固定する（図６参照）。
【００３７】
壁枠パネル１５の下端から外側に張り出すように張出し足場１６を形成している。この張出し足場１６には、大型空調機用パネルＢに設けたキャスター２１を誘導せしめるガイドレール１６ａを設けてあり、大型空調機用パネルＢの設置作業を容易にしている。すなわち、大型空調機用パネルＢを壁枠パネル１５に取付ける際は、このキャスター２１を利用し、既に装着済みの壁枠パネル１５の開口部１４へ張出し足場１６のガイドレール１６ａを利用して水平移動させるものである（図８参照）。そして、図７（ｂ）の如く、所定の位置に設置した後は、壁枠パネル１５の四隅の溶接ナットＮ２と縦アングル材２２を介してボルト２３により壁枠パネル１５と大型空調機用パネルＢとを締結固定する（図９参照）。
【００３８】
室外機１９の点検の際には、点検口パネルＤを取外し、張出し足場１６上にて点検が可能である。更に、張出し足場１６には、安全性確保のため周囲安全策１６ｂが付設されている（図６参照）。また、大型空調機用パネルＢ、及び点検口パネルＤの縦枠材に装着してあるパッキン材Ｃを、壁枠パネル１５及び間柱３の縦外枠フレームに圧着固定することで止水性を有している。
【００３９】
尚、本考案における図示例の各構成は、本考案の一実施例に過ぎず、ユニットハウスの形状や壁枠パネル７、１５のサイズ、小型空調機用パネルＡ又は大型空調機用パネルＢの形状やサイズ等は、本考案の要旨を逸脱しない範囲において自由に変更することができるものである。
【産業上の利用可能性】
【００４０】
本考案によると、ユニットハウスに限定することなく、組み立てハウスのパネルシステムにも利用することが可能である。
【符号の説明】
【００４１】
１  屋根フレーム
２  床フレーム
３  間柱
４  壁パネル
５  窓パネル
６  開口部
７  壁枠パネル
８  室外機
９  架台
９ａ  補強フレーム
９ｂ  補強パイプ
１０  室内機
１１  冷媒配管及び電線コード
１２  キャスター
１３  ハンドル
１４  開口部
１５  壁枠パネル
１６  張出し足場
１６ａ  ガイドレール
１６ｂ  周囲安全策
１７  架台
１７ａ  補強フレーム
１７ｂ  補強パイプ
１８  室内機
１９  室外機
２０  冷媒配管及び電線コード
２１  キャスター
２２  縦アングル材
２３  ボルト
Ｐ１  取付孔
Ａ  小型空調機用パネル
Ｂ  大型空調機用パネル
Ｃ  パッキン材
Ｄ  点検口パネル
１００  空調機用パネルユニット
【図１】
0003164750.tif 000003
【図２】
0003164750.tif 000004
【図３】
0003164750.tif 000005
【図４】
0003164750.tif 000006
【図５】
0003164750.tif 000007
【図６】
0003164750.tif 000008
【図７】
0003164750.tif 000009
【図８】
0003164750.tif 000010
【図９】
0003164750.tif 000011